(57)【特許請求の範囲】
【請求項１】
線状部材からなる心材の表面に放射状に固定された、心材より細い湾曲自在の材料からなる複数の修飾部材を設けた濾過材と、
前記濾過材を所定面上に移動可能に保持する枠部材と、
前記濾過材を前記心材の軸方向に移動させる駆動部と、
前記駆動部による移動によって前記濾過材が通過するときに前記濾過材で捕集した物質を回収する回収器とを備え、
前記枠部材は、その前面側と後面側とに区画形成された前面室及び後面室と、前記前面室と前記後面室とを連通する通路と、前記前面室及び前記後面室を貫通して配置され回転可能に支持される巻取軸とを備え、
前記濾過材は、前記心材の一端が前記前面室の前記巻取軸に他端が前記後面室の前記巻取軸に固定され、前記通路を通って前記前面室と前記後面室との間を移動するように保持される
ことを特徴とするフィルタ装置。
【請求項２】
請求項１に記載のフィルタ装置において、
前記駆動部は、前記枠部材に設けられることを特徴とするフィルタ装置。
【請求項３】
請求項１又は２に記載のフィルタ装置において、
前記回収器は、前記枠部材に設けられることを特徴とするフィルタ装置。
【請求項４】
請求項１〜３のいずれか一項に記載のフィルタ装置において、
前記回収器は、通過する前記濾過材の少なくとも一部に接触する接触部を備え、この接触部により前記濾過材で捕集した物質を払い落とすことを特徴とするフィルタ装置。
【請求項５】
請求項１〜３のいずれか一項に記載のフィルタ装置において、
前記回収器は、空気流を与える除去装置を備え、この除去装置により前記濾過材で捕集した物質を前記濾過材から離反させることを特徴とするフィルタ装置。
【請求項６】
請求項１〜３のいずれか一項に記載のフィルタ装置において、
前記回収器は、通過する前記濾過材に振動を与える超音波振動装置を備え、この超音波振動装置により前記濾過材で捕集した物質を振い落とすことを特徴とするフィルタ装置。
【請求項７】
請求項１〜６のいずれか一項に記載のフィルタ装置において、
前記回収器により回収された物質を貯留する貯留部を更に備え、前記貯留部は前記物質を室外に排出する排気ダクト有することを特徴とするフィルタ装置。
【請求項８】
請求項１〜６のいずれか一項に記載のフィルタ装置において、
前記回収器により回収された物質を貯留する貯留部を更に備え、前記貯留部は着脱自在に構成されることを特徴とするフィルタ装置。
【請求項９】
請求項１〜８のいずれか一項に記載のフィルタ装置を用いたことを特徴とする空気調和機。
【発明の詳細な説明】
【技術分野】
【０００１】
本発明は、フィルタで捕集した塵埃を除去するフィルタ装置及び空気調和機に関する。
【背景技術】
【０００２】
従来、空気調和機には吸込口から吸い込んだ空気中の塵埃を捕集するためフィルタが設けられ、そのフィルタは清掃ができるように空気調和機に対して着脱可能に構成されている。ところで、こうしたフィルタの清掃は使用者に委ねられているため、清掃が確実に行われない場合があり、塵埃の堆積に起因するフィルタの目詰まりによって、空気調和機の性能低下を招く虞があった。
【０００３】
そこで、フィルタで捕集した塵埃を自動的に清掃するフィルタ装置を搭載した空気調和機が提案されている。こうしたフィルタ装置としては、特許文献１に示されるように、複数の吸入ノズルがフィルタの面上を移動してフィルタで捕集した塵埃を吸引するようにしたものや、特許文献２に示されるように、フィルタ全体をフィルタ面に沿って移動させ毛ブラシ等によりフィルタで捕集した塵埃を払い落とすようにしたものが知られている。このように構成することで、使用者に委ねていたフィルタの清掃を自動的に行い、空気調和機の性能低下を抑制するようにしている。
【特許文献１】特開２００４−２６３９８４号公報
【特許文献２】特開２００２−５５０４号公報
【発明の開示】
【発明が解決しようとする課題】
【０００４】
ところで、空気調和機にこのような清掃機能を備えたフィルタ装置を搭載する場合には、以下のような不都合が生じ得る。すなわち、特許文献１に示されるようなフィルタ装置では、フィルタの面上を吸入ノズルが移動する構成となっているため、吸入ノズルが移動する空間を空気調和機に確保しておく必要があり、清掃機能を有しない空気調和機と比べて、フィルタの厚み方向に大型化してしまう。また、特許文献２に示されるようなフィルタ装置では、フィルタ全体を移動させるため、フィルタを退避させる空間及び毛ブラシ等の清掃部が占有する空間を空気調和機に確保する必要があり、やはり空気調和機の大型化が避けられないものとなる。
【０００５】
本発明は、こうした実情に鑑みてなされたものであり、その目的は、空気調和機の大型化を抑制することができる清掃機能を備えたフィルタ装置を提供することにある。
【課題を解決するための手段】
【０００６】
本発明に係るフィルタ装置は、線状部材からなる心材の表面に放射状に固定された、心材より細い湾曲自在の材料からなる複数の修飾部材を設けた濾過材と、前記濾過材を所定面上に移動可能に保持する枠部材と、前記濾過材を前記心材の軸方向に移動させる駆動部と、前記駆動部による移動によって前記濾過材が通過するときに前記濾過材で捕集した物質を回収する回収器とを備え、前記枠部材は、その前面側と後面側とに区画形成された前面室及び後面室と、前記前面室と前記後面室とを連通する通路と、前記前面室及び前記後面室を貫通して配置され回転可能に支持される巻取軸とを備え、前記濾過材は、前記心材の一端が前記前面室の前記巻取軸に他端が前記後面室の前記巻取軸に固定され、前記通路を通って前記前面室と前記後面室との間を移動するように保持されることを特徴とする。
【０００７】
同構成によれば、線状部材からなる心材の表面に放射状に固定された、心材より細い湾曲自在の材料からなる複数の修飾部材を設けた濾過材が枠部材に対して移動可能に保持され、濾過材が心材の軸方向に移動して回収器を通過するときに濾過材で捕集した物質を回収するため、線状に構成される濾過材の移動のみによって濾過材を清掃することができる。また、清掃される濾過材が線状に構成されるため、回収器を小型に構成することができる。また、心材の一端が前面室の巻取軸に他端が後面室の巻取軸に固定され、濾過材が前面室と後面室との間を移動するように保持されるため、濾過材の前面室から後面室への移動又は後面室から前面室への移動によって、枠部材に設けられた回収器で濾過材を清掃することができる。このため、清掃機能の付加によってもフィルタ部の大型化を極力抑えることができ、清掃機能を備えたフィルタ装置の小型化を図ることができる。
【０００８】
また、前記駆動部は、前記枠部材に設けられるようにしてもよい。同構成によれば、駆動部が枠部材に設けられることから、フィルタ部と駆動部とをユニット化することができ、組立作業時における取り扱いや製造管理において有利になる。
【０００９】
また、前記回収器は、前記枠部材に設けられるようにしてもよい。同構成によれば、回収器が枠部材に設けられることから、フィルタ部と回収器とをユニット化することができ、組立作業時における取り扱いや製造管理において有利になる。
【００１４】
また、前記回収器は、通過する前記濾過材の少なくとも一部に接触する接触部を備え、この接触部により前記濾過材で捕集した物質を払い落とすようにしてもよい。同構成によれば、回収器に備えられた接触部が、通過する濾過材に接触することによって濾過材で捕集した物質を払い落とすため、回収器を通過する濾過材の清掃を行うことができる。なお、接触部をブラシ状又は櫛状に構成することによって、より効率的に濾過材の清掃を行うことができる。
【００１５】
また、前記回収器は、空気流を与える除去装置を備え、この除去装置により前記濾過材で捕集した物質を前記濾過材から離反させるようにしてもよい。同構成によれば、回収器に備えられた除去装置が、空気流によって濾過材で捕集した物質を離反させるため、回収器を通過する濾過材の清掃を行うことができる。なお、除去装置により物質を離反させる具体例として、ブロワにより空気を吹き付ける、又はノズルにより空気を吸引するといった構成を採用することができる。
【００１６】
また、前記回収器は、通過する前記濾過材に振動を与える超音波振動装置を備え、この超音波振動装置により前記濾過材で捕集した物質を振い落とすようにしてもよい。同構成によれば、回収器に備えられた超音波振動装置が、通過する濾過材に振動を与えることによって濾過材で捕集した物質を振い落とすため、回収器を通過する濾過材の清掃を行うことができる。
【００１７】
また、フィルタ装置は、前記回収器により回収された物質を貯留する貯留部を更に備え、前記貯留部は前記物質を室外に排出する排気ダクト有するようにしてもよい。同構成によれば、回収器により回収された物質を貯留部に貯留し、貯留した物質を室外に排出するため、清掃により捕集された物質の処理を自動的に行うことができる。
【００１８】
また、フィルタ装置は、前記回収器により回収された物質を貯留する貯留部を更に備え、前記貯留部は着脱自在に構成されるようにしてもよい。同構成によれば、回収器により回収された物質を貯留する貯留部が着脱自在に構成されるため、清掃により捕集された物質を任意のタイミングで回収することができる。
【００１９】
また、本発明に係る空気調和機は、上記のフィルタ装置を用いたことを特徴とする。同構成によれば、上記のような清掃機能を備えたフィルタ装置を用いることにより、空気調和機の大型化を抑制することができる。
【発明の効果】
【００２０】
本発明によれば、線状部材からなる心材の表面に放射状に固定された、心材より細い湾曲自在の材料からなる複数の修飾部材を設けた濾過材が枠部材に対して移動可能に保持され、濾過材が心材の軸方向に移動して回収器を通過するときに濾過材で捕集した物質を回収するため、線状に構成される濾過材の移動のみによって濾過材を清掃することができる。また、清掃される濾過材が線状に構成されるため、回収器を小型に構成することができる。また、心材の一端が前面室の巻取軸に他端が後面室の巻取軸に固定され、濾過材が前面室と後面室との間を移動するように保持されるため、濾過材の前面室から後面室への移動又は後面室から前面室への移動によって、枠部材に設けられた回収器で濾過材を清掃することができる。このため、清掃機能の付加によってもフィルタ部の大型化を極力抑えることができ、清掃機能を備えたフィルタ装置の小型化を図ることができる。これにより、清掃機能を備えたフィルタ装置を小型に構成することができるため、清掃機能を付加することによる空気調和機の大型化を抑制することができる。
【発明を実施するための最良の形態】
【００２１】
（第１実施形態）
以下、図１〜５を参照して、本発明を具体化したフィルタ装置の第１実施形態について説明する。
【００２２】
図１にフィルタ装置が搭載された空気調和機１の断面図を示す。空気調和機１のケーシングは、空気調和機１の設置時に室内の壁面に固定されるフレーム２と、フレーム２の前面側に取り付けられた前面グリル３とによって構成される。前面グリル３には、その前面から上面に亘って水平方向に複数の吸込口３ａが形成されている。
【００２３】
空気調和機１のケーシング内には、フィルタ装置１１と、熱交換器５と、送風ファン６とが設けられる。フィルタ装置１１は、前面グリル３の内面に沿うように折り曲げられて配置され、吸込口３ａから吸い込まれる空気中の塵埃（物質）を捕集する。また、フィルタ装置１１は、捕集した塵埃を除去する清掃機能を有する。熱交換器５は、フィルタ装置１１のさらに内面に配置され、前面側熱交換器５ａと背面側熱交換器５ｂとを逆Ｖ字状に連結して構成される。熱交換器５は、冷媒回路における凝縮器（暖房運転時）や蒸発器（冷房運転時）として機能し、吸入された空気と熱交換を行う。送風ファン６は、熱交換器５の内側にケーシングの長手方向に沿って配置され、その回転によって空気を循環させる。また、前面グリル３の下側には、水平フラップ７や垂直フラップ（図示省略）が設けられた吹出口８が形成されている。
【００２４】
次に、空気調和機１の作用を説明する。送風ファン６の回転によって、室内の空気は前面グリル３の吸込口３ａから吸入される。吸込口３ａから吸入された空気はフィルタ装置１１を通過し、フィルタ装置１１によって空気中に浮遊する塵埃が捕集される。フィルタ装置１１を通過した空気は、熱交換器５に接触することによって熱交換を行う。そして、熱交換された空気は、送風ファン６の回転によって、フレーム２に形成されたスクロール部２ａ等に導かれ、吹出口８から送り出される。これにより、空気調和機１が暖房又は冷房として機能する。
【００２５】
次に、フィルタ装置１１について説明する。図２にフィルタ装置１１の概略斜視図を、図３にフィルタ装置１１の平面展開図を示す。フィルタ装置１１は、フィルタ装置１１の外枠を構成する枠部材１２と、塵埃を捕集する濾過材１３と、濾過材１３を移動させる駆動部としてのスプロケット１４と、濾過材１３で捕集した塵埃を回収することで濾過材１３の清掃を行う回収器１５とを備える。
【００２６】
濾過材１３は、樹脂の線状部材からなる心材１３ａとその表面に設けられる複数の修飾部材１３ｂとによって構成される。心材１３ａは、湾曲自在の材料から構成され、環状に連結される。修飾部材１３ｂは、心材１３ａより細い湾曲自在の線状部材からなり、植毛等の方法で心材１３ａの表面に放射状に固定される。濾過材１３は、修飾部材１３ｂがフィルタ装置１１の空気通過面を埋めるように配置され、枠部材１２に設けられた複数の支持体１６によって摺動可能に支持される。通過空気中の塵埃は、主に修飾部材１３ｂによって捕集される。
【００２７】
スプロケット１４は、枠部材１２に対して回転可能に設けられ、濾過材１３を支持するように配置される。スプロケット１４が回転すると、濾過材１３は心材１３ａの軸方向に移動され、濾過材１３はその配置を保ったまま循環する。図４にスプロケット１４が濾過材１３を移動させる構成を示す。図４（ａ）は構成の斜視図、図４（ｂ）は図４（ａ）のＡ−Ａ線に沿う断面図、図４（ｃ）は図４（ａ）のＢ−Ｂ線に沿う断面図である。スプロケット１４は、モータ（図示省略）により回転軸１４ａを中心に回転駆動されるように構成されている。スプロケット１４には、濾過材１３を支持する外周面１４ｂに４個の歯部１４ｃが形成される。一方、濾過材１３の心材１３ａには、スプロケット１４の歯部１４ｃのピッチに合わせて、複数の係合穴１３ｃが心材１３ａの全周に亘って設けられる。そして、スプロケット１４の回転によって、歯部１４ｃが心材１３ａの係合穴１３ｃに順次係合し、濾過材１３を心材１３ａの軸方向に移動させる。ここで、濾過材１３の修飾部材１３ｂは、図に示すようにスプロケット１４と干渉しない位置に固定される。
【００２８】
回収器１５は、枠部材１２に設けられ、濾過材１３の移動時に濾過材１３が通過するように配置される。そして、濾過材１３が回収器１５を通過するときに、濾過材１３で捕集した塵埃を回収する。図５に回収器１５の断面図を示す。ここで、図５の実線矢印は、塵埃が導かれる方向を示す。回収器１５は、濾過材１３が通過する通路１５ａと、通路１５ａに設けられる複数の接触部１５ｂと、塵埃を排出する排出口１５ｃとを備える。濾過材１３が通路１５ａを通過するときに、接触部１５ｂが濾過材１３の修飾部材１３ｂと接触することによって、修飾部材１３ｂに付着した塵埃を払い落とし、濾過材１３を清掃する。
【００２９】
回収器１５によって払い落とされた塵埃は、回収器１５の排出口１５ｃと連通するように配置された貯留部１７に貯留される。貯留部１７に貯留された塵埃は、貯留部１７に設けられた排気ダクト１８を通じて室外に排出される。
【００３０】
次に、フィルタ装置１１の作用について説明する。フィルタ装置１１は、濾過材１３に付着している塵埃の量が増加したと判断されたときに、又は一定期間ごとに、又は使用者による清掃を行う旨の操作があったときに、清掃を開始する。フィルタ装置１１による清掃が開始されると、スプロケット１４が、モータによって回転軸１４ａを中心に図４中の点線矢印方向に回転駆動される。すると、濾過材１３は、配置を保ったまま図３，４中の実線矢印方向に循環移動する。濾過材１３の移動によって、濾過材１３が回収器１５の通路１５ａを順次通過する。濾過材１３は、通路１５ａを通過するときに、回収器１５の接触部１５ｂが濾過材１３の修飾部材１３ｂに接触する。これにより、接触部１５ｂが修飾部材１３ｂに付着した塵埃を払い落とし、濾過材１３を清掃する。そして、払い落とされた塵埃は、貯留部１７及び排気ダクト１８を通じて室外に排出される。
【００３１】
上記第１実施形態によれば、以下のような効果を得ることができる。
（１）第１実施形態では、樹脂の線状部材からなる心材１３ａとその表面に設けられる複数の修飾部材１３ｂとにより構成される濾過材１３が、枠部材１２に対して移動可能に保持される。そして、スプロケット１４の回転により濾過材１３が心材１３ａの軸方向に移動して回収器１５の通路１５ａを通過するときに修飾部材１３ｂに付着した塵埃を除去するため、線状に構成される濾過材１３の移動のみによって濾過材１３を清掃することができる。また、清掃される濾過材１３が線状に構成されるため、回収器１５を小型に構成することができる。このため、清掃機能の付加によってもフィルタ装置１１の大型化を極力抑えることができ、ひいては空気調和機１の大型化を抑制することができる。
【００３２】
（２）第１実施形態では、湾曲自在の材料から構成された心材１３ａが環状に連結され、濾過材１３の清掃時に濾過材１３が枠部材１２に対する配置を保ったまま循環して移動する。このため、濾過材１３の占有空間を増加させることなく濾過材１３を移動させることができ、清掃機能を備えたフィルタ装置１１の小型化を図ることができる。また、濾過材１３を単一方向に移動させることで濾過材１３の全箇所を清掃することができるため、清掃工程や濾過材１３の移動のための制御が容易となる。
【００３３】
（３）第１実施形態では、濾過材１３を移動させるスプロケット１４と、濾過材１３を枠部材１２に対して移動可能に支持する支持体１６と、濾過材１３を清掃する回収器１５とが枠部材１２に設けられるため、清掃機能を備えたフィルタ装置１１をユニット化することができる。このため、組立作業時及び搬送時における取り扱いや製造管理において有利になる。
【００３４】
（４）第１実施形態では、回収器１５に設けられた接触部１５ｂが、通路１５ａを通過する濾過材１３の修飾部材１３ｂに接触することによって修飾部材１３ｂに付着した塵埃を払い落とす。このため、回収器１５を通過する濾過材１３の清掃を確実に行うことができる。
【００３５】
（５）第１実施形態では、回収器１５により払い落とされた塵埃は、貯留部１７及び排気ダクト１８を通じて室外に排出される。このため、清掃により回収器１５に回収された塵埃の処理を自動的に行うことができる。
【００３６】
（６）第１実施形態では、フィルタ装置１１は、濾過材１３に付着している塵埃の量が増加したと判断されたときに、又は一定期間ごとに、又は使用者による清掃を行う旨の操作があったときに、清掃を開始する。このため、空気調和機１の性能が低下することを、自動的に又は使用者の操作によって抑制することができる。
【００３７】
（第２実施形態）
次に、図６，７を参照して、本発明を具体化したフィルタ装置の第２実施形態について説明する。なお、以下に説明する実施形態において、第１実施形態と同一構成については同一符号を付し、その重複する説明を省略又は簡略する。第２実施形態では、第１実施形態で説明したフィルタ装置１１の配置（図１、２）については同一であり、フィルタ装置の構成のみが異なる。
【００３８】
図６にフィルタ装置２１の概略斜視図を、図７にフィルタ装置２１の前面側と後面側とを図６のＣ−Ｃ線に沿って展開した展開図を示す。フィルタ装置２１は、フィルタ装置２１の外枠を構成する枠部材２２と、塵埃を捕集する濾過材２３と、濾過材２３を移動させる駆動部としてのスプロケット２４と、濾過材２３を清掃する回収器２５とを備える。
【００３９】
枠部材２２は、その前面側と後面側とに区画形成された前面室２２ａ及び後面室２２ｂと、前記前面室２２ａと前記後面室２２ｂとを連通する通路２２ｃと、前記前面室２２ａ及び前記後面室２２ｂを貫通して配置され回転可能に支持される巻取軸２６とを備える。巻取軸２６は、モータ（図示省略）により回転駆動されて、濾過材２３を巻取るように構成されている。
【００４０】
濾過材２３は、樹脂の線状部材からなる心材２３ａとその表面に設けられる複数の修飾部材２３ｂとによって構成される。心材２３ａは、所定の長さを有する湾曲自在の材料から構成される。心材２３ａの一端は前面室２２ａの巻取軸２６に固定され、枠部材２２の通路２２ｃを通って、他端が後面室２２ｂの巻取軸２６に固定される。修飾部材２３ｂは、心材２３ａより細い湾曲自在の線状部材からなり、植毛等の方法で心材２３ａの表面に放射状に固定される。
【００４１】
濾過材２３は、前面室２２ａ側（図７（ａ））又は後面室２２ｂ側（図７（ｃ））に配置され、修飾部材２３ｂがフィルタ装置２１の空気通過面を埋めるように巻取軸２６を中心に渦巻状に配置される。濾過材２３は、前面室２２ａ内及び後面室２２ｂ内を移動可能に保持されるとともに、通路２２ｃを通って前面室２２ａと後面室２２ｂとの間を移動できるように保持される。通過空気中の塵埃は、主に修飾部材２３ｂによって捕集される。
【００４２】
スプロケット２４は、枠部材２２の通路２２ｃの近傍に配置され、枠部材２２に対して回転可能に設けられる。スプロケット２４が回転すると、濾過材２３は心材２３ａの軸方向に移動する。スプロケット２４が濾過材２３を移動させる構成は、第１実施形態の図４の構成と同様であり、スプロケット２４が濾過材２３の心材２３ａと係合することにより濾過材２３を移動させる。スプロケット２４の回転によって、濾過材２３は、前面室２２ａから後面室２２ｂへ、又は後面室２２ｂから前面室２２ａへと移動する。
【００４３】
回収器２５は、枠部材２２の通路２２ｃに設けられ、濾過材２３の移動時に濾過材２３が通過するように配置される。そして、濾過材２３が回収器２５を通過するときに、濾過材２３で捕集した塵埃を回収する。回収器２５の構成は、第１実施形態の図５の構成と同様であり、回収器２５に設けられた接触部が濾過材２３の修飾部材２３ｂと接触することによって、修飾部材２３ｂに付着した塵埃を払い落とす。
【００４４】
次に、フィルタ装置２１の作用について説明する。フィルタ装置２１は、濾過材２３に付着している塵埃の量が増加したと判断されたときに、又は一定期間ごとに、又は使用者による清掃を行う旨の操作があったときに、清掃を開始する。濾過材２３が図７（ａ）に示すような前面室２２ａ側に位置する状態でフィルタ装置２１による清掃が開始されると、スプロケット２４がモータによって図７（ａ）中の点線矢印の方向に回転駆動され、同時に、巻取軸２６がモータによって図７（ａ）中の点線矢印の方向に回転駆動される。すると、濾過材２３は図７（ａ）中の実線矢印の方向に移動を始め、濾過材２３は前面室２２ａから後面室２２ｂへと移動する。そして、図７（ｂ）の状態を経て、図７（ｃ）に示すように濾過材２３の大部分が後面室２２ｂに移動する。このとき、スプロケット２４の回転と巻取軸２６の回転とは適宜調整して駆動され、濾過材２３が後面室２２ｂに移動したときに、濾過材２３は修飾部材２３ｂがフィルタ装置２１の空気通過面を埋めるように巻取軸２６を中心に渦巻状に配置される。
【００４５】
濾過材２３のこの移動によって、濾過材２３が回収器２５を順次通過する。濾過材２３は、回収器２５を通過するときに、修飾部材２３ｂに付着した塵埃を払い落とし、濾過材２３を清掃する。そして、払い落とされた塵埃は、貯留部１７及び排気ダクト１８を通じて室外に排出される。
【００４６】
また、次にフィルタ装置２１が清掃を開始するときは、スプロケット２４及び巻取軸２６を逆方向に回転させることで、濾過材２３を後面室２２ｂから前面室２２ａへと移動させる。すなわち、図７（ｃ）の状態から図７（ｂ）を経て図７（ａ）の状態へと移行させる。そして、この移動によって、濾過材２３が回収器２５を通過するときに、修飾部材２３ｂに付着した塵埃を払い落とし、濾過材２３を清掃する。このように、フィルタ装置２１は、濾過材２３を前面室２２ａと後面室２２ｂとの間で往復移動させることによって、回収器２５において濾過材２３の清掃を行う。
【００４７】
上記第２実施形態によれば、第１実施形態の効果（１），（４），（５），（６）に加えて、以下のような効果を得ることができる。
（７）第２実施形態では、心材２３ａの一端が前面室２２ａの巻取軸２６に他端が後面室２２ｂの巻取軸２６に固定され、濾過材２３がスプロケット２４及び巻取軸２６により前面室２２ａと後面室２２ｂとの間を移動するように保持される。このため、濾過材２３の前面室２２ａから後面室２２ｂへの移動又は後面室２２ｂから前面室２２ａへの移動によって、枠部材２２の通路２２ｃに設けられた回収器２５で濾過材２３を清掃することができる。
【００４８】
（８）第２実施形態では、濾過材２３を移動させるスプロケット２４と、濾過材１３を巻取る巻取軸２６と、濾過材２３を清掃する回収器２５とが枠部材２２に設けられるため、清掃機能を備えたフィルタ装置２１をユニット化することができる。このため、組立作業時及び搬送時における取り扱いや製造管理において有利になる。
【００４９】
なお、上記実施形態は以下のように変更してもよい。
・第１及び第２実施形態では、回収器１５，２５は接触部により濾過材１３，２３に付着した塵埃を払い落とすようにしたが、回収器は図８に示すように構成してもよい。回収器３５は、濾過材１３，２３が通過する通路３５ａと、通路３５ａに形成されたガイド面３５ｂに設けられ、湾曲自在な複数の線状部材によって構成されるブラシ部材３６と、ブラシ部材３６で払い落とした塵埃を回収する複数の回収穴３５ｃと、塵埃を排出する排出口３５ｄとを備える。濾過材１３，２３が通路３５ａを通過するときに、濾過材１３，２３の修飾部材１３ｂ，２３ｂは、ガイド面３５ｂに導かれて湾曲するとともに、ブラシ部材３６と接触する。ブラシ部材３６は、修飾部材１３ｂ，２３ｂに付着した塵埃を払い落とし、濾過材１３，２３を清掃する。ブラシ部材３６により払い落とされた塵埃は、回収穴３５ｃから回収され、回収器３５の排出口３５ｄから貯留部１７及び排気ダクト１８を通じて室外に排出される。ここで、ブラシ部材３６は、修飾部材１３ｂ，２３ｂに付着した塵埃を確実に払い落とすために、修飾部材１３ｂ，２３ｂより剛性を高くしておくことが好ましい。また、ブラシ部材３６に換えて、櫛状の部材をガイド面３５ｂに設けることで濾過材１３，２３の清掃を行うようにしてもよい。このように、回収器３５の接触部をブラシ部材３６又は櫛状の部材で構成することにより、濾過材１３，２３の修飾部材１３ｂ，２３ｂとの接触面積及び接触回数を増加させることができ、修飾部材１３ｂ，２３ｂに付着した塵埃を確実に除去することができる。
【００５０】
・第１及び第２実施形態では、回収器１５，２５は接触部により濾過材１３，２３に付着した塵埃を払い落とすようにしたが、回収器に空気流を与えることにより塵埃を除去する除去装置を設け、除去装置により濾過材１３，２３に付着した塵埃を離反させることで清掃を行うようにしてもよい。なお、具体例として、ブロワにより空気を吹き付ける、又はノズルにより空気を吸引するといった構成により濾過材１３，２３から塵埃を離反させることができる。
【００５１】
・また、回収器に回収器を通過する濾過材１３，２３に振動を与える超音波振動装置を設け、超音波振動装置により濾過材１３，２３に付着した塵埃を振い落とすことで清掃を行うようにしてもよい。
【００５２】
・また、回収器に除電装置又は荷電装置を設け、除電装置又は荷電装置により濾過材１３，２３に付着した塵埃を濾過材１３，２３から離反させることで清掃を行うようにしてもよい。
【００５３】
・また、回収器に洗浄液を収容し、洗浄液により濾過材１３，２３に付着した塵埃を洗い落とすことで清掃を行うようにしてもよい。
・第１及び第２実施形態では、修飾部材１３ｂ，２３ｂは線状部材で構成され放射状に配置されているが、フィルタ装置１１，２１の空気通過面を埋めることができる形状及び配置になっていればよく、図４に示される配置形態を図９のように構成してもよい。図９（ａ）に、濾過材４３の一断面における修飾部材４３ｂの配置を示す。濾過材４３の修飾部材４３ｂは、心材４３ａに対して半円状に形成された接着層４４を介して固定される。接着層４４には、濾過材４３の一断面に８箇所の植毛点４５が設けられ、それぞれ植毛点４５には３本の線状部材４６，４７，４８が固定される。線状部材４６，４７，４８は、その自由端が広がりを持って配置されるとともに、８箇所の植毛点４５からそれぞれ外側に広がる方向に配置される。また、３本のうち外側の２本の線状部材４６，４８は、断面に対して傾斜して配置される。図９（ｂ）に、図９（ａ）の最も右側の植毛点４５に固定される３本の線状部材４６，４７，４８の側面図を示す。線状部材４６は断面に対して一方向側に傾斜して固定され、線状部材４８は他方向側に傾斜して固定される。このように構成することで、空気通過方向（図９（ａ）の実線矢印Ｄ方向）に対して垂直面方向の広い範囲に修飾部材４３ｂを配置することができる。このため、修飾部材４３ｂによって塵埃を漏れなく捕集することができる。
【００５４】
・第１及び第２実施形態では、濾過材１３，２３の心材１３ａ，２３ａを樹脂で構成したが、金属で構成してもよい。
・第１及び第２実施形態では、スプロケット１４，２４は１箇所のみ設けられているが、複数箇所設けてもよい。また、第１及び第２実施形態に示される位置と異なる位置に設けてもよい。また、スプロケット１４，２４は手動で回転されるように構成してもよい。
【００５５】
・第１及び第２実施形態では、回収器１５，２５により払い落とされた塵埃は、貯留部１７及び排気ダクト１８を通じて室外に排出されるようにしているが、貯留部１７を着脱自在に構成して、清掃により回収された貯留部１７内の塵埃を使用者が任意のタイミングで回収できるようにしてもよい。
【００５６】
・第１及び第２実施形態では、スプロケット１４，２４及び回収器１５，２５を枠部材１２，２２に設けてフィルタ装置１１，２１をユニット化しているが、スプロケット１４，２４を枠部材１２，２２に設けない構成としてもよいし、回収器１５，２５を枠部材１２，２２に設けない構成としてもよい。
【００５７】
・第１及び第２実施形態では、本発明に係るフィルタ装置１１，２１を空気調和機１のフィルタ部に適用しているが、空気清浄機等のフィルタ部に適用してもよい。また、塵埃を捕集するような空気用のフィルタ部としてだけでなく、空気以外の気体や液体に対して使用されるフィルタ部に適用してもよい。
【００５８】
・第１及び第２実施形態では、本発明に係るフィルタ装置１１，２１を濾過材１３，２３の清掃用として用いているが、流体中の物質を篩にかけて分別するような場合に用いてもよい。濾過材１３，２３で捕集した物質を回収器１５，２５で回収することにより流体中の物質を分別することができる。
【図面の簡単な説明】
【００５９】
【図１】空気調和機の断面図。
【図２】第１実施形態におけるフィルタ装置の概略斜視図。
【図３】第１実施形態におけるフィルタ装置の平面展開図。
【図４】（ａ）はスプロケットが濾過材を移動させる構成を示す斜視図、（ｂ）は図４（ａ）のＡ−Ａ線に沿う断面図、（ｃ）は図４（ａ）のＢ−Ｂ線に沿う断面図。
【図５】回収器の断面図。
【図６】第２実施形態におけるフィルタ装置の概略斜視図。
【図７】（ａ），（ｂ），（ｃ）は図６のＣ−Ｃ線に沿う展開図。
【図８】本発明の他の例における回収器の断面図。
【図９】（ａ）は本発明の他の例における濾過材の断面図、（ｂ）はその濾過材の側面図。
【符号の説明】
【００６０】
１…空気調和機、２…フレーム、３…前面グリル、５…熱交換器、６…送風ファン、７…水平フラップ、８…吹出口、１１，２１…フィルタ装置、１２，２２…枠部材、１３，２３…濾過材、１３ａ，２３ａ…心材、１３ｂ，２３ｂ…修飾部材、１４，２４…スプロケット、１５，２５…回収器、１６…支持体、１７…貯留部、１８…排気ダクト、２６…巻取軸。
【図１】
0004715360.tif 000002
【図２】
0004715360.tif 000003
【図３】
0004715360.tif 000004
【図４】
0004715360.tif 000005
【図５】
0004715360.tif 000006
【図６】
0004715360.tif 000007
【図７】
0004715360.tif 000008
【図８】
0004715360.tif 000009
【図９】
0004715360.tif 000010